(57)【要約】  本発明に係る冷蔵庫は、内部に冷凍室、冷蔵室及び冷却器室が形成された箱体と、冷却器室に設けられた冷却器と、冷却器で冷却された冷気を冷凍室及び冷蔵室へ送るファンと、ファンが取り付けられるベルマウスと、ベルマウスを覆うように設置され、ベルマウスに合わさることで冷凍室及び冷却器室を区画する区隔壁を形成し、ファンから送風された冷気を冷凍室へ導く風路を区隔壁の内部に形成するファングリルと、ベルマウスに接続され、ファンにより送風された冷気を冷蔵室へ導く風路ダクトと、を備え、風路ダクトは、箱体の内部であって、かつ区隔壁の外部に設置されているものである。
2017183105.tif 000002
【特許請求の範囲】
【請求項１】
内部に冷凍室、冷蔵室及び冷却器室が形成された箱体と、
前記冷却器室に設けられた冷却器と、
前記冷却器で冷却された冷気を前記冷凍室及び前記冷蔵室へ送るファンと、
前記ファンが取り付けられるベルマウスと、
前記ベルマウスを覆うように設置され、該ベルマウスに合わさることで前記冷凍室及び前記冷却器室を区画する区隔壁を形成し、前記ファンから送風された冷気を前記冷凍室へ導く風路を前記区隔壁の内部に形成するファングリルと、
前記ベルマウスに接続され、前記ファンにより送風された冷気を前記冷蔵室へ導く風路ダクトと、を備え、
前記風路ダクトは、前記箱体の内部であって、かつ前記区隔壁の外部に設置されている
冷蔵庫。
【請求項２】
前記箱体は、前記箱体の内面を形成する内箱と前記箱体の外面を形成する外箱とを備え、
前記内箱には、アンダーカット部が形成され、
前記風路ダクトは、前記アンダーカット部に着脱自在に設置されている
請求項１に記載の冷蔵庫。
【請求項３】
請求項２に記載の冷蔵庫の製造方法であって、
前記風路ダクトを前記内箱に取り付ける工程と、
前記内箱と前記外箱との間に発泡断熱材を発泡して、前記発泡断熱材の圧力により前記内箱を前記風路ダクトの形状に合わせて変形させて前記アンダーカット部を形成する工程と、を有する
冷蔵庫の製造方法。
【発明の詳細な説明】
【技術分野】
【０００１】
本発明は、庫内の貯蔵室へ冷気を循環させるための風路を有する冷蔵庫、及び冷蔵庫の製造方法に関するものである。
【背景技術】
【０００２】
従来から、冷却器により冷却された冷気を貯蔵室の一つである冷蔵室へ送風するための風路は、冷却器室側に設けた吸込口、冷蔵室側に設けた吹出口、及び当該吸込口と当該吹口を繋ぐ冷気ダクトを組み合わせることにより構成されている。そして、冷気ダクトは、冷蔵庫を構成する内箱と外箱との間に充填された発泡断熱材の内部に埋設される仕様となっている（例えば特許文献１参照）。【０００３】
また、冷却器室内の送風機から送風された冷気を冷凍室及び冷蔵室へ送るための風路は、送風機が取り付けられるベルマウスと、当該ベルマウスを覆うように設置されるファングリルとが合わさることで構成される区画壁の内部に埋設された仕様となっている。すなわち、冷却器室から冷凍室への風路と、冷却器室から冷蔵室への風路とが共有された風路となっている（例えば特許文献２参照）。
【先行技術文献】
【特許文献】
【０００４】
【特許文献１】実開昭５９−１３６５７９号公報
【特許文献２】特開２０１４−１４２０７９号公報
【発明の概要】
【発明が解決しようとする課題】
【０００５】
特許文献１に記載の冷蔵庫においては、冷気ダクトを発泡断熱材の内部に設けると、発泡断熱材の発泡時に、冷気ダクトが発泡圧力に耐え切れずに破損して発泡断熱材の漏れが発生したり、冷気ダクトの変形等が発生することがあった。そして、このような冷気ダクトの生産不良を確認する際には、冷蔵庫を分解すること以外に冷気ダクトの状態を確認することが困難であるため、容易に冷気ダクトを取り換えることができなかった。このため、仮に生産不良があった場合には、冷蔵庫の本体ごと廃棄処分をすることとなり生産不良の発生時の損失が大きいという問題点があった。また、冷気ダクトの変形が原因となり、冷却不良の可能性がある冷蔵庫が客先へ出荷される可能性があった。【０００６】
また、特許文献２に記載の冷蔵庫においては、冷却器室から冷凍室への風路と、冷却器室から冷蔵室への風路とが共有された風路となっているため、上記のような問題は生じない。しかしながら、冷蔵室へ冷気を送風するための風路を区画壁内部へ設けることで、冷凍室への吹出口は風路を避けるように配置されるため、冷凍室の吹出口の配置のバランスが悪くなり、冷凍室の冷却効率が悪化する問題点があった。【０００７】
本発明は、上記のような問題点を解決するためになされたものであり、冷凍室の冷却効率が向上した冷蔵庫を得ることを目的とする。
【課題を解決するための手段】
【０００８】
本発明に係る冷蔵庫は、内部に冷凍室、冷蔵室及び冷却器室が形成された箱体と、前記冷却器室に設けられた冷却器と、前記冷却器で冷却された冷気を前記冷凍室及び前記冷蔵室へ送るファンと、前記ファンが取り付けられるベルマウスと、前記ベルマウスを覆うように設置され、該ベルマウスに合わさることで前記冷凍室及び前記冷却器室を区画する区隔壁を形成し、前記ファンから送風された冷気を前記冷凍室へ導く風路を前記区隔壁の内部に形成するファングリルと、前記ベルマウスに接続され、前記ファンにより送風された冷気を前記冷蔵室へ導く風路ダクトと、を備え、前記風路ダクトは、前記箱体の内部であって、かつ前記区隔壁の外部に設置されているものである。
【発明の効果】
【０００９】
本発明に係る冷蔵庫によれば、風路ダクトを箱体の内部であって、かつ区画壁の外部に設置することで冷凍室の冷却効率を向上させることができる。
【図面の簡単な説明】
【００１０】
【図１】本発明の実施の形態に係る冷蔵庫の内部を示す概略正面図である。
【図２】本発明の実施の形態に係る冷蔵庫の冷凍室、冷蔵室、冷却器室の位置関係を示す説明図である。
【図３】本発明の実施の形態に係る冷蔵庫の区画壁及び冷却器室の収納部品の分解斜視図である。
【図４】本発明の実施の形態に係る冷蔵庫の冷凍室の内部を示す概略拡大図である。
【図５】本発明の実施の形態に係る冷蔵庫の冷凍室に食品が納められた状態を示す説明図である。
【図６】本発明の実施の形態に係る冷蔵庫の冷凍室内の冷気の流れを示すための冷凍室の模式図である。
【図７】本発明の実施の形態に係る冷蔵庫の冷凍室からファングリルを取り外して区画壁内の風路の状態を表した説明図である。
【図８】図１のＸ−Ｘ断面図である。
【図９】図２のＹ−Ｙ方向から見た冷蔵庫の構成図である。
【発明を実施するための形態】
【００１１】
以下、本発明の冷蔵庫の実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１２】
実施の形態．
［冷蔵庫１の構成］
図１は、本発明の実施の形態に係る冷蔵庫の内部を示す概略正面図である。図１に示されるように、冷蔵庫１は、内箱２５と外箱２６との間を後述する発泡断熱材１５で充填し、断熱状態で隔てる断熱箱体２の内部に、複数に区画された貯蔵室を備えている。内箱２５は、断熱箱体２の内面を形成し、外箱２６は、断熱箱体２の外面を形成する。貯蔵室の構成としては、冷蔵庫１の上部に冷凍室３が設けられ、冷凍室３の下に冷蔵室４が設けられている。なお、断熱箱体２は、本発明における「箱体」に相当する。
【００１３】
冷凍室３は、冷凍温度帯に設定されている貯蔵室である。また、冷蔵室４は、冷蔵温度帯に設定されている貯蔵室である。なお、本実施の形態において、冷凍室３の下に冷蔵室４が設けられた例を示したが本発明はこれに限定されず、冷凍室３及び冷蔵室４の位置を適宜変更してもよい。
【００１４】
図２は、本発明の実施の形態に係る冷蔵庫の冷凍室、冷蔵室、冷却器室の位置関係を示す説明図である。図２に示されるように、冷蔵庫１の上部に設けられている冷凍室３の後方であって、断熱箱体２の内部には、冷却器１３及び霜取りヒータ１４などの部品を収納する冷却器室５が設けられている。冷却器１３は、冷蔵庫１の冷凍サイクルの一部を構成するものであり、冷却器１３の内部を流れる冷媒と、周囲の空気との間で熱交換を行い、冷気を生成するものである。霜取りヒータ１４は、発熱することによって冷却器１３に着いた霜を融解させるものである。また、冷凍室３と冷却器室５とは、区画壁６によって隔てられている。
【００１５】
図３は、本発明の実施の形態に係る冷蔵庫の区画壁及び冷却器室の収納部品の分解斜視図である。図３に示されるように、区画壁６は、庫内へ冷気を送風するファン９と、ファン９が取り付けられるベルマウス１０と、ベルマウス１０を覆うように取り付けられるファングリル１１とから構成されている。また、ベルマウス１０とファングリル１１が合わさることで形成された区画壁６の内部には、冷凍室３内へ冷気を送風するための風路が形成されている。ベルマウス１０は、板状部材１０ａと、板状部材１０ａの上方に設けられた中空円筒状の部材１０ｂとにより構成され、ベルマウス１０の中空円筒状の部材１０ｂには、ファン９が取り付けられている。ファングリル１１には、冷気の吹出口である冷凍室吹出口７と、冷気が冷却器室５に戻るための冷凍室戻り口８とが設けられている。
【００１６】
冷却器１３によって冷却された冷気は、ファン９の動作により、ベルマウス１０とファングリル１１とで構成される区画壁６内の風路を通り、冷凍室３へ送風される。また、冷蔵室４への風路ダクト１２は、ベルマウス１０に設けられた嵌合部１２ｃと、風路ダクト１２に設けられた嵌合部１２ａとを嵌合して、ベルマウス１０に接続させることで、冷蔵室４への風路を形成する。
【００１７】
図４は、本発明の実施の形態に係る冷蔵庫の冷凍室の内部を示す概略拡大図である。図４に示されるように、区画壁６の冷凍室３側に設けられているファングリル１１の意匠面には、冷凍室吹出口７が複数設けられている。また、ファングリル１１の下方には冷凍室戻り口８が設けられており、冷凍室３に保存されている食品等の熱を奪った空気が、冷却器室５で再度冷却され、庫内を循環するようになっている。
【００１８】
図５は、本発明の実施の形態に係る冷蔵庫の冷凍室に食品が納められた状態を示す説明図である。図５に示されるように、冷凍室３は棚２０によって上下に区画され、冷凍室３の底面及び棚２０の上には複数の食品２１が載置されている。冷凍室吹出口７は吹出口の面積を大きくすることで、冷凍室３の内部に食品２１が多量に貯蔵された状態でも、食品２１に冷凍室吹出口７を塞がれることなく、冷気を送風することができ、庫内の冷却能力に影響が出ない仕様となっている。
【００１９】
なお、本実施の形態において、冷凍室３の内部を棚２０によって上下に区画した例を示したが、本発明はこれに限定されず、棚２０を設けなくてもよいし、棚２０を複数設けて冷凍室３の内部を多段階に区画してもよい。
【００２０】
図６は、本発明の実施の形態に係る冷蔵庫の冷凍室内の冷気の流れを示すための冷凍室の模式図である。図６に示されるように、冷凍室吹出口７から送風される冷気２２は、図６中の矢印のように冷凍室３内を流れる。そして、食品２１から熱を奪った冷気２２は、冷凍室３内の下方に設置された冷凍室戻り口８へと流れる。冷凍室戻り口８へと流れた冷気２２は、冷却器室５で冷却器１３によって再度冷却され、庫内を循環する。
【００２１】
図７は、本発明の実施の形態に係る冷蔵庫の冷凍室からファングリルを取り外して区画壁内の風路の状態を表した説明図である。図７に示されるように、ファン９により送風される冷気は、区画壁６内の風路を通り、冷凍室３へ送風される。冷凍室３へ送風される冷気２２（図６参照）は、ファン９の正面、又は下方へと流れ、図６に示す冷凍室吹出口７から庫内へ送風される。また、冷蔵室４へ送風される冷気２３は、図７中の矢印のように流れ、ベルマウス１０から冷蔵室４への風路ダクト１２へ送風される仕様となっている。
【００２２】
図８は、図１のＸ−Ｘ断面図である。図８に示されるように、冷蔵室４へ送風するための風路ダクト１２は、内箱２５に設けられたアンダーカット部１７の形状に合わせた形状をしており、風路ダクト１２がアンダーカット部１７へ着脱自在に設置される構成となっている。また、風路ダクト１２は、断熱箱体２の内部であって、かつ区画壁６の外部の後方に設置されている。このように、風路ダクト１２を区画壁６の後方に取り付けることにより、区画壁６と断熱箱体２とを嵌合する面積が大きくなり、区画壁６の嵌合強度を増強することができる。
【００２３】
次に、風路ダクト１２を内箱２５に取り付けてから、発泡断熱材１５を発泡する工程について説明する。まず、最初の工程として、十分な強度を持った風路ダクト１２を内箱２５に取り付ける。次の工程として、内箱２５と外箱２６との間に発泡断熱材１５を発泡して、発泡断熱材１５の圧力により内箱２５を風路ダクト１２の形状に合わせて変形させてアンダーカット部１７を形成する。ここで、風路ダクト１２は十分な強度をもった部材であるので、発泡断熱材１５の圧力により変形することなく、内箱２５は風路ダクト１２の形状に沿った形状となりアンダーカット部１７が形成される。このようにすることで、アンダーカット部１７を形成するための置き治具を用いることなく内箱２５にアンダーカット部１７が形成される。
【００２４】
図９は、図２のＹ−Ｙ方向から見た冷蔵庫の構成図である。図９に示されるように、冷却器１３によって冷却された冷気は、ファン９によって区画壁６の内部の風路を通り、風路ダクト１２から中仕切りダクト１６へと流れ、冷蔵室吹出口１８から冷蔵室４へ送風される。風路ダクト１２は、風路ダクト１２と中仕切りダクト１６との嵌合部１２ｂ、及び嵌合部１２ａにより固定される構成となっている。また、風路ダクト１２は、ネジ等の固定手段１９を用いて、より強固に固定することで嵌合部１２ａ又は嵌合部１２ｂから冷気の漏れを抑制することができる。また、リブ等を風路ダクト１２の内部に追加することで、風路ダクト１２単体としての強度を向上することも可能である。
【００２５】
上述した通り、嵌合部１２ａでの固定を強固にすることで、区画壁６を繰り返し着脱したとしても、区画壁６と風路ダクト１２との嵌合が緩むことはなくなる。さらに、風路ダクト１２は単体の部品であるので、冷却器１３の構造に合わせて、風路ダクト１２の形状を容易に変更することができる。
【００２６】
［実施の形態の効果］
以上のことから、本実施の形態によれば、内部に冷凍室３、冷蔵室４及び冷却器室５が形成された箱体と、冷却器室５に設けられた冷却器１３と、冷却器１３で冷却された冷気を冷凍室３及び冷蔵室４へ送るファン９と、ファン９が取り付けられるベルマウス１０と、ベルマウス１０を覆うように設置され、ベルマウス１０に合わさることで冷凍室３及び冷却器室５を区画する区画壁６を形成し、ファン９から送風された冷気を冷凍室３へ導く風路を区画壁６の内部に形成するファングリル１１と、ベルマウス１０に接続され、ファン９により送風された冷気２３を冷蔵室４へ導く風路ダクト１２と、を備え、風路ダクト１２は、箱体の内部であって、かつ区画壁６の外部に設置されている冷蔵庫１とする。
このように、風路ダクト１２を区画壁６の外部へ設置することで、冷凍室吹出口７をファングリル１１の前面側に自由に配置できるようになる。このため、冷凍室吹出口７の位置をバランスよく配置することで、冷凍室３の冷却効率を向上させることができる。
【００２７】
また、冷蔵室４への風路ダクト１２を区画壁６と分けて設置する構成とすることで、嵌合部１２ａ及び嵌合部１２ｂを固定することが容易となる。さらに、風路ダクト１２に固定手段１９を設け、風路ダクト１２を内箱２５に固定することで、嵌合部１２ａ及び嵌合部１２ｂの間の風路ダクト１２間の嵌合強度を向上させ、冷気漏れを抑制することができる。
さらに、冷蔵室４への風路ダクト１２を区画壁６の外部であって、かつ区画壁６の後方側に設け、冷凍室３への風路と冷蔵室４への風路ダクト１２を隔てることで、区画壁６内部に埋設される冷凍室３への風路面積を確保し、冷凍室３の内容積の縮小を抑制する。そして、冷蔵室４への風路ダクト１２の強度を強化したものにすることで箱体全体の強度の向上を図ることができる。
【００２８】
また、断熱箱体２は、断熱箱体２の内面を形成する内箱２５と断熱箱体２の外面を形成する外箱２６とを備え、内箱２５には、アンダーカット部１７が形成され、風路ダクト１２は、アンダーカット部１７に着脱自在に設置されている。このようにすることで、庫内側の容積を狭めることなく、風路ダクト１２に変形等の不良が発生した際に、風路ダクト１２を交換することが可能となる。また、ネジなどの固定手段１９を用いて容易に風路ダクト１２を内箱２５に取り付けたり、取り外したりすることが可能な構成であるため、組み立て作業性を向上させることができる。
また、内箱２５にアンダーカット部１７を設けることで、ファングリル１１を内箱２５のアンダーカット部１７にネジ等で固定することができ、より強固にファングリル１１を固定することができる。
また、風路ダクト１２をアンダーカット部１７に設置することで、冷却器室５の容積を大きく確保することができる効果も得ることができる。
【００２９】
また、風路ダクト１２を内箱２５に取り付ける工程と、内箱２５と外箱２６との間に発泡断熱材１５を発泡して、発泡断熱材１５の圧力により内箱２５を風路ダクト１２の形状に合わせて変形させてアンダーカット部１７を形成する工程とにより冷蔵庫１を製造する。このようにすることで、風路ダクト１２が、発泡断熱材１５の発泡時に置き治具の代わりとなり、置き治具を用いることなく内箱２５のアンダーカット部１７を形成することができる。
【符号の説明】
【００３０】
１  冷蔵庫、２  断熱箱体、３  冷凍室、４  冷蔵室、５  冷却器室、６  区画壁、７  冷凍室吹出口、８  冷凍室戻り口、９  ファン、１０  ベルマウス、１０ａ  板状部材、１０ｂ  中空円筒状の部材、１１  ファングリル、１２  風路ダクト、１２ａ  嵌合部、１２ｂ  嵌合部、１２ｃ  嵌合部、１３  冷却器、１４  霜取りヒータ、１５  発泡断熱材、１６  中仕切りダクト、１７  アンダーカット部、１８  冷蔵室吹出口、１９  固定手段、２０  棚、２１  食品、２２  冷気、２３  冷気、２５  内箱、２６  外箱。
【図１】
2017183105.tif 000003
【図２】
2017183105.tif 000004
【図３】
2017183105.tif 000005
【図４】
2017183105.tif 000006
【図５】
2017183105.tif 000007
【図６】
2017183105.tif 000008
【図７】
2017183105.tif 000009
【図８】
2017183105.tif 000010
【図９】
2017183105.tif 000011
【手続補正書】
【提出日】平成30年7月17日(2018.7.17)
【手続補正１】
【補正対象書類名】明細書
【補正対象項目名】０００８
【補正方法】変更
【補正の内容】
【０００８】
本発明に係る冷蔵庫は、内部に冷凍室、冷蔵室及び冷却器室が形成された箱体と、前記箱体の内面を形成する内箱と、前記箱体の外面を形成する外箱と、前記冷却器室に設けられた冷却器と、前記冷却器で冷却された冷気を前記冷凍室及び前記冷蔵室へ送るファンと、前記ファンが取り付けられるベルマウスと、前記ベルマウスを覆うように設置され、該ベルマウスに合わさることで前記冷凍室及び前記冷却器室を区画する区隔壁を形成し、前記ファンから送風された冷気を前記冷凍室へ導く風路を前記区隔壁の内部に形成するファングリルと、前記ベルマウスに接続され、前記ファンにより送風された冷気を前記区隔壁の側端部から前記冷蔵室へ導く風路ダクトと、前記内箱に形成されたアンダーカット部と、を備え、前記風路ダクトは、前記アンダーカット部に着脱自在に設置されているものである。
【手続補正２】
【補正対象書類名】特許請求の範囲
【補正対象項目名】全文
【補正方法】変更
【補正の内容】
【特許請求の範囲】
【請求項１】
内部に冷凍室、冷蔵室及び冷却器室が形成された箱体と、
前記箱体の内面を形成する内箱と、
前記箱体の外面を形成する外箱と、
前記冷却器室に設けられた冷却器と、
前記冷却器で冷却された冷気を前記冷凍室及び前記冷蔵室へ送るファンと、
前記ファンが取り付けられるベルマウスと、
前記ベルマウスを覆うように設置され、該ベルマウスに合わさることで前記冷凍室及び前記冷却器室を区画する区隔壁を形成し、前記ファンから送風された冷気を前記冷凍室へ導く風路を前記区隔壁の内部に形成するファングリルと、
前記ベルマウスに接続され、前記ファンにより送風された冷気を前記区隔壁の側端部から前記冷蔵室へ導く風路ダクトと、
前記内箱に形成されたアンダーカット部と、を備え、
前記風路ダクトは、前記アンダーカット部に着脱自在に設置されている
冷蔵庫。
【請求項２】
前記アンダーカット部は、前記区隔壁よりも背面側に形成されている、
請求項１に記載の冷蔵庫。
【請求項３】
前記風路ダクトと前記区隔壁とを固定する嵌合部を備えた、
請求項１又は２に記載の冷蔵庫。
【請求項４】
前記風路ダクトと前記内箱とを固定する固定手段を備えた、
請求項１〜３のいずれか一項に記載の冷蔵庫。
【請求項５】
請求項１に記載の冷蔵庫の製造方法であって、
前記風路ダクトを前記内箱に取り付ける工程と、
前記内箱と前記外箱との間に発泡断熱材を発泡して、前記発泡断熱材の圧力により前記内箱を前記風路ダクトの形状に合わせて変形させて前記アンダーカット部を形成する工程と、を有する
冷蔵庫の製造方法。
【国際調査報告】
2017183105.tif 000012
2017183105.tif 000013
2017183105.tif 000014
2017183105.tif 000015